(57)【特許請求の範囲】
【請求項１】
伸縮の基端側の最低位のシリンダのシリンダチューブから同じく先端側の最高位のシリンダのピストンロッドまで、高位のシリンダのピストンロッドを低位のシリンダのピストンロッドにヘッド側油室とロッド側油室を確保して摺動可能に収容した多段伸縮シリンダにおいて、低位のピストンロッドのヘッド側油室に通ずるヘッド側油路とロッド側油室に通ずるロッド側油路とを独立させて高位のピストンロッドに形成したヘッド側油路とロッド側油路に伸縮可能に連続させる構成を最高位のシリンダのピストンロッドまで形成し、各ヘッド側油路と各ロッド側油路を最高位のシリンダの基端部に連設して固定部材に固定される端部ブロックに突入させるとともに、各ヘッド側油路と各ロッド側油路を端部ブロックにそれぞれ独立して形成された端部通路に連絡する一方、ヘッド側の端部通路は各々専用の給排ポートに連絡し、ロッド側の端部通路は端部ブロック内で連通させて単独の給排ポートに連絡したことを特徴とする多段伸縮シリンダ。
【請求項２】
端部ブロック内で連通するのはヘッド側の端部通路であり、ロッド側の端部通路は各々独立させてそれぞれ専用の給排ポートに連絡する請求項１の多段伸縮シリンダ。
【請求項３】
端部ブロックに突入される各油路を中心側のものほど端側に延ばし、各油路の端から端部通路を径方向に形成するとともに、連通すべき各ロッド側油路を各ヘッド側油路とは別の位相にして連絡孔で連通した請求項１の多段伸縮シリンダ。
【請求項４】
低位のシリンダのヘッド側油路の外周側に当該シリンダのロッド側油路を同芯にリング状に形成する構成を最高位から最低位のシリンダまで順次外周側に構築した請求項１〜３いずれかの多段伸縮シリンダ。
【発明の詳細な説明】
【技術分野】
【０００１】
本発明は、クレーン等の伸縮ブームに使用して好適な多段伸縮シリンダに関するものである。
【背景技術】
【０００２】
物を移動させるには伸縮シリンダによることがある。このうち、下記特許文献１及び２
に見られるように、低位(図１等の左側)のシリンダのに中に高位(図１等の左側)のシリンダを伸縮可能に収容した構成を何段かに重ねた多段伸縮(テレスコピック)シリンダは、伸長長さに対して縮単長さが短くなるという特徴を有しており、縮単時にコンパクトさが要求されるクレーン等に多く用いられている。この種の多段伸縮シリンダでは、ヘッド側油室とロッド側油室にそれぞれ油路を各シリンダのチューブ又はピストンロッド等に形成し、これを方向切換弁を介して油圧ポンプと油圧タンクに接続している。
【０００３】
この油路の形成には、各シリンダの油路を直列（シリーズ）に設ける場合と、並列（パラレル）に設ける場合とがある。上記した特許文献１に記載された発明は後者の例であるが、これによると、各シリンダに供給される圧油の圧力を均等に保ち、また、各シリンダに圧油を個々に給排できる利点があるが、その一方で、給排ポートが増えて煩わしい外部配管を多く必要とするし、この外部配管やそれに挿設される方向切替弁といった制御機器はシリンダの段数が増すほど多くなる。
【０００４】
これを改善するのは特許文献２に見られる発明であるが、本発明では、伸長側のヘッド側油室は並列であるが、縮短側のロッド側油室は直列にしてすべてのシリンダのロッド側油室を経て一つの給排ポートに連絡している。したがって、外部配管や制御弁の数は少なくてすむが、圧油の圧力は各ロッド側油室を経るごとに低下する。さらに、油室とそれに基づく油路の形成が複雑になる。
【０００５】
具体的には、高位のシリンダの油路は低位のシリンダの油路の外周側に形成さぜるを得ないし、圧油は各ロッド側油室を順次通らなければならないから、必要なストロークを確保する上で中間のシリンダのピストンロッド（チューブ）を二重にしている。この点で、ピストンロッドの径を太くしなければならないことに加えてチューブの重量が重くなり、例えば、クレーンのブーム伸縮等に使用した場合には、クレーンの吊り上げ能力の低下につながる。
【先行技術文献】
【特許文献】
【０００６】
【特許文献１】特開平０７−０８９７００号公報
【特許文献２】特開２０００−０８７９１３号公報
【発明の概要】
【発明が解決しようとする課題】
【０００７】
本発明は、各シリンダの油室を並列に形成してその長所を享受するものであるが、このうちのロッド側油室を最高位のピストンロッドの端に固定的に設けた端部ブロック内で連通させて単独の給排ポートに連絡し、外部配管の煩わしさを排すとともに、シリンダ重量の軽減を図るものである。
【課題を解決するための手段】
【０００８】
以上の課題の下、本発明は、請求項１に記載した、伸縮の基端側の最低位のシリンダのシリンダチューブから同じく先端側の最高位のシリンダのピストンロッドまで、高位のシリンダのピストンロッドを低位のシリンダのピストンロッドにヘッド側油室とロッド側油室を確保して摺動可能に収容した多段伸縮シリンダにおいて、低位のピストンロッドのヘッド側油室に通ずるヘッド側油路とロッド側油室に通ずるロッド側油路とを独立させて高位のピストンロッドに形成したヘッド側油路とロッド側油路に伸縮可能に連続させる構成を最高位のシリンダのピストンロッドまで形成し、各ヘッド側油室と各ロッド側油路を最高位のシリンダ基端部に連設固定部材に固定される端部ブロックに突入させるとともに、各ヘッド側油室と各ロッド側油路を端部ブロックにそれぞれ独立して形成された端部通路に連通する一方、ヘッド側の端部通路は各々専用の給排ポートに連絡し、ロッド側の端部通路は端部ブロック内で連通させて単独の給排ポートに連絡したことを特徴とする多段伸縮シリンダを提供したものである。
【０００９】
また、本発明は、以上の請求項１の構成において、請求項２に記載した、端部ブロック内で連通するのはヘッド側の端部通路であり、ロッド側の端部通路は各々独立させてそれぞれ専用の給排ポートに連絡する構成、同じく請求項３に記載した、端部ブロックに突入される各油路を中心側のものほど端側に延ばし、各油路の端から端部通路を径方向に形成するとともに、連通すべき各ロッド側油路を各ヘッド側油路とは別の位相にして連絡孔で連通した構成、請求項１〜３いずれかの構成において、請求項４に記載した、低位のシリンダのヘッド側油路の外周側に当該シリンダのロッド側油路を同芯にリング状に形成する構成を最高位から最低位のシリンダまで順次外周側に構築した構成をそれぞれ提供する。
【発明の効果】
【００１０】
請求項１の発明によると、ピストンロッドが伸長する方向では、各シリンダのヘッド側油室に圧油を個々に供給でき、各ピストンロッドを別々に伸長できる。この点で、大きな推力が要求され、しかも、微妙な伸長量を必要とするクレーン等のシリンダでは有用なものとなる。さらに、各油室は並列に形成されているから、各油室に供給される圧油の圧力は同じであり、各油路を直列に形成した場合に起こる圧力低下もない。さらに、端部ブロック内で連通させたので、ピストンロッド（チューブ）を二重にする必要がなく、クレーンのブーム伸縮用に使用した場合、クレーンの吊り上げ能力の低下につながらない。
【図面の簡単な説明】
【００１１】
【図１】多段伸縮シリンダの伸長状態の一部断面図である。
【図２】多段伸縮シリンダの縮短状態の一部断面図である。
【図３】中間シリンダの断面図である。
【図４】最高位のシリンダの断面図である。
【図５】図１のＡ−Ａ断面図である。
【図６】図１のＢ−Ｂ断面図である。
【図７】図１のＣ−Ｃ断面図である。
【発明を実施するための形態】
【００１２】
以下、本発明の実施の形態を図面を参照して説明する。図１は本発明に係る多段伸縮シリンダの伸長状態を示す一部断面図、図２は縮短状態の一部断面図、図３は中間シリンダの断面図、図４は最高位のシリンダの断面図、図５は図１のＡ−Ａ断面図、図６はＢ−Ｂ断面図であるが、この多段伸縮シリンダは低位（図１等の左側）から高位（図１等の右側）まで何段かに伸縮可能に収容されているものである。ここでは、簡単のために、最低位のシリンダ１、中間シリンダ２及び最高位のシリンダ３の三段構成のものについて説明する。このうち、最低位のシリンダ１は、ヘッド側端部４とこれに続くシリンダチューブ５のみで構成されている。
【００１３】
中間シリンダ２は、ピストンヘッド６に続くピストンロッド７を有しており、ピストンヘッド６は最低位のシリンダ１のシリンダのチューブ５にヘッド側油室８とロッド側油室９を確保して摺動可能に収容されている。ピストンロッド７は内部が空間になっており、この中に最高位のシリンダ３のピストッヘッド１０がヘッド側油室１１とロッド側油室１２を確保して摺動可能に収容されている。なお、ピストッヘッド１０に続くピストンロッド１３は中間シリンダ２のピストンロッド７から突出している。
【００１４】
これにおいて、中間シリンダ２のヘッド側油室８は、圧油の給排のために外部まで導かなければならないから、中間シリンダ２のピストンヘッド６及びピストンロッド７の中心に軸方向に孔を形成し、これをヘッド側油路１４としてピストッロッド７の端まで延ばしている。一方、ロッド側油室９に通ずるロッド側油路１５は、ロッド側油室９に通じてピストンヘッド６に形成された孔を経て軸方向に中間シリンダ２のヘッド側油路１４の外周側のピストンロッド７に形成し、同じくピストンロッド７の端まで延ばしている。この場合、ロッド側油路１５はヘッド側油路１４の外周側に形成されている。
【００１５】
最高位のシリンダ３も同様であり、そのピストンロッド１３は中間シリンダ２のピストンロッド７から突出している。このピストンロッド１３にも中間シリンダ２のヘッド側油路１４とロッド側油路１５に連続するヘッド油路１６とロッド側油路１７が形成されており、最高位のシリンダ３のピストッロッド１３の端まで延ばしている。この場合、最高位のシリンダ３は中間シリンダ２に対して伸縮するから、それぞれのヘッド側油路１４、１６とロッド側油路１５、１７は互いに伸縮可能に連続している。また、ロッド側油路１７はヘッド側油路１６の外周側に形成されている。
【００１６】
最高位のシリンダ３にも、そのヘッド側油室１１に続くヘッド側油路１８とロッド側油室１２に続くロッド側油路１９が形成されており、ピストンロッド１３の端まで延ばしている。この場合も、ロッド側油路１９はヘッド側油路１８の外周側に形成され、かつ、ヘッド側油路１８は中間シリンダ２のロッド側油路１７の更に外周側に形成されることになる。つまり、高位側のシリンダの油路を低位側のシリンダの油路の外周側に形成するのである。このような構成によると、最高位のシリンダ３のピストンロッド１３に多くの油路を形成することになり（本例では四本）、その径も太くせざるを得ない。そこで、中間シリンダ２や最高位のシリンダ３のピストンロッド７、１３の径を効率的に小さくするために、以上の各シリンダのヘッド側油路１６、１８とロッド側油路１７、１９はすべて同芯に形成している。
【００１７】
次に、最高位のシリンダ３の基端部に端部ブロック２０を設け、これにロッド側通路１７，１９とヘッド側通路１６、１８を突入させている。そして、中心側にある油路ほど端近くまで延ばし、その端から第一〜第四端部通路２１〜２４を立ち上げ、その開口部を給排ポートとしている。こうすると、第一〜第四端部通路２１〜２４を加工が容易な同一位相形成しても他の通路を横切らないからである。本発明では、ロッド側油路１７、１９に続く第二及び第四端部通路２２、２４を端部ブロック２０内で連通して一つの給排ポートにまとめているのである。この場合、すべての端部通路２１〜２４を同じ位相にすると、連通すべき第二端部通路２２と第四端部通路２４は間に存在するヘッド側油路に１６に続く第三端部通路２３を横切ることになる。
【００１８】
そこで、第７図に示す図１のＣ−Ｃ断面図のように、第二及び第四端部通路２２、２４は第一及び第三端部通路２１、２３とは別の位相にし、第二及び第四端部通路２２、２４を連絡する連通孔２５を形成して互いを連通し、第二及び第四端部通路２２、２４の給排ポートのいずれかに栓２６をして一つの給排ポートにまとめている。この場合、連通孔２５は油路に平行な方向に穴あけし、端部側の不要の部分を同じく栓２７で蓋をしている。なお、本例の端部ブロック２０は断面が方形をしているが、これに限るものではない。
【００１９】
ところで、以上において、最高位のシリンダ３の端部ブロック２０は固定されており、低位側のシリンダが伸縮することになる。この点で、端部ブロック２０に接続される配管は固定的に設けることができ、複雑な伸縮機構や強度的に劣る可撓機構を必要としない。さらに、上記の構成をとると、各シリンダのピストンロッドは径の太いものになり、必然的にロッド側油室の受圧面積が小さいものになる。したがって、縮短側の力は弱くなるが、クレーン等のシリンダでは縮短時には伸長時ほど力を要しないのが通常であるので支障はない。
【００２０】
一方、図示は省略するが、端部ブロック２０内で連通するのはヘッド側油路１６、１８に通ずる第一端部通路２１と第三端部通路２３とし、ロッド側油路１７、１９に通ずる第二端部通路２２と第四端部通路２４は各々独立させてそれぞれ専用の給排ポートに連絡してもよい。こうすると、上記したロッド側油路１７、１９の連通による効果をヘッド側油路１７、１８に転換できる。
【００２１】
以上は、本発明の基本的な形態であるが、本発明は、この他に種々の形態をとる。例えば、ヘッド油路、ロッド側油路ともにそれぞれの端部通路を連通させ、これを二つの給排ポートに各々連絡してもよい。これによると、外部配管や制御弁の数が更に少なくできる利点がある。
【００２２】
加えて、シリンダの積重数は三段に限るものではなく、それを超えることもある。例えば、四段構成にするには、最低位のシリンダのチューブ（ピストッロッド）にヘッドを形成してこれを更に低位のシリンダを設けてそのチューブにヘッド側油室とロッド側油室を確保して摺動可能に収容すればよい。そして、それぞれのヘッド側油室とロッド側油室に通ずる油路を他の各ピストンロッドに形成した油路と伸縮可能に連続させて最高位のシリンダの端部ブロックまで延ばせばよい（給排ポートの数も増える）。この場合でも、各ロッド側油路を端部ブロック内で連通させて一つの給排ポートにまとめるのは上記と同じである。さらに、五段以上でも同様な構成をとればよい。
【符号の説明】
【００２３】
１      最低位のシリンダ
２      中間シリンダ
３      最高位のシリンダ
４      ヘッド側端部
５      最低位のシリンダのシリンダチューブ。
６      中間シリンダのピストン
７      中間シリンダのピストンロッド
８      最低位のシリンダのヘッド側油室
９      最低位のシリンダのロッド側油室
１０    最高位のシリンダのピストン
１１    中間シリンダのヘッド側油室
１２    中間シリンダのロッド側油室
１３    最高位のシリンダのピストンロッド
１４    中間シリンダのヘッド側油路
１５    中間シリンダのロッド側油路
１６    最高位のシリンダのヘッド側油路
１７    最高位のシリンダのロッド側油路
１８    最高位のシリンダのヘッド側油路
１９    最高位のシリンダのロッド側油路
２０    端部ブロック
２１    第一端部通路
２２    第二端部通路
２３    第三端部通路
２４    第四端部通路
２５    連通孔
２６    栓
２７    栓
【図１】
0005794683.tif 000002
【図２】
0005794683.tif 000003
【図３】
0005794683.tif 000004
【図４】
0005794683.tif 000005
【図５】
0005794683.tif 000006
【図６】
0005794683.tif 000007
【図７】
0005794683.tif 000008